(57)【特許請求の範囲】
【請求項１】
内容物を充填しその内容積の縮減を可能とするパックと、このパックを内側に収める内部空間を有するホルダーと、パックを乳首とともにホルダーに固定保持するベースとを備えた哺乳器であって、
前記ホルダーに、該ホルダーの側壁に設けられた爪部に係合して位置決めを行うラチェット式の係止片を有しパックを乳首に向けて押し上げてその内容積を縮減させるスライダーを設け、
該スライダーは、ホルダーの内側に配置されパックをその底部から押圧する中皿と、ホルダーの外側に配置されるリングと、該リングに弾性支持されホルダーの側壁に設けられた爪部に係合する少なくとも１つの係止片と、ホルダーの側壁に設けられた窓孔を通して中皿にて押圧可能に保持され、該係止片を押圧、変位させてホルダーの爪部との係合を解除する押しボタンからなることを特徴とする哺乳器。
【請求項２】
内容物を充填しその内容積の縮減を可能とするパックと、このパックを内側に収める内部空間を有するホルダーと、パックを乳首とともにホルダーに固定保持するベースとを備えた哺乳器であって、
前記ホルダーに、該ホルダーの側壁に設けられた爪部に係合して位置決めを行うラチェット式の係止片を有しパックを乳首に向けて押し上げてその内容積を縮減させるスライダーを設け、
該スライダーは、ホルダーの内側に配置されパックをその底部から押圧する中皿と、ホルダーの外側に配置されるリングと、該中皿に弾性支持されホルダーの内側壁に設けられた爪部に係合する少なくとも１つの係止片と、ホルダーの側壁に設けられた窓孔を通して中皿にて押圧可能に保持され、該係止片を押圧、変位させてホルダーの爪部との係合を解除する押しボタンからなることを特徴とする哺乳器。
【発明の詳細な説明】
【０００１】
【発明の属する技術分野】
本発明は哺乳器に関するものであり、授乳後のげっぷや吐き出しを効果的に軽減しようとするものである。
【０００２】
【従来の技術】
従来の哺乳瓶は、その内部にミルクの他に空気が入っているため、授乳の際、その空気が気泡となってミルクとともに飲み込まれ、これがげっぷや吐き出しの原因になっている。
【０００３】
げっぷや吐き出しを防止するには、哺乳瓶の中に存在する空気を抜き出すのが最も効果的であり、この点に関する先行技術としては、国際公開に係わるＷＯ９８／３８９６３号パンフレットに開示された哺乳器が参照される。
【０００４】
かかるパンフレットに開示された哺乳器は、内容積の縮減可能な薄肉のパックをホルダーの内部に配置して、ホルダーに取り付けられたアップガイドにより該パックを押し潰すことによってパック内の空気を押し出す構造のものであって、これによれば、乳児は気泡をミルクと一緒に飲み込むことがないので、げっぷや吐き出しに対しては極めて有効な手段であるとされている。
【０００５】
しかしながら、この哺乳器は、アップガイドを固定するための手段がないため授乳中にアップガイドを誤作動させてしまうおそれがあること、また、授乳を一たん中止すべく哺乳器を引き起こしたとき、アップガイドはその自重でもって哺乳器の底部に簡単にスライドしてしまうことからパックのバキューム効果によってその内部に空気が侵入することも懸念され、授乳を再開するに当たっては、再度、アップガイドによる空気の排出を行う必要があり、操作性の面で多少の改善の余地が残されている。
【０００６】
【発明が解決しようとする課題】
本発明の課題は、授乳の際に従来避けられなかったげっぷや吐き出しを防止できる操作性の改善された哺乳器を提案するところにある。
【０００７】
【課題を解決するための手段】
本発明は、内容物を充填しその内容積の縮減を可能とするパックと、このパックを内側に収める内部空間を有するホルダーと、パックを乳首とともにホルダーに固定保持するベースとを備えた哺乳器であって、
前記ホルダーに、該ホルダーの側壁に設けられた爪部に係合して位置決めを行うラチェット式の係止片を有しパックを乳首に向けて押し上げその内容積を縮減させるスライダーを設け、
該スライダーは、ホルダーの内側に配置されパックをその底部から押圧する中皿と、ホルダーの外側に配置されるリングと、該リングに弾性支持されホルダーの側壁に設けられた爪部に係合する少なくとも１つの係止片と、ホルダーの側壁に設けられた窓孔を通して中皿にて押圧可能に保持され、該係止片を押圧、変位させてホルダーの爪部との係合を解除する押しボタンからなることを特徴とする哺乳器である。
【０００９】
また、本発明は、内容物を充填しその内容積の縮減を可能とするパックと、このパックを内側に収める内部空間を有するホルダーと、パックを乳首とともにホルダーに固定保持するベースとを備えた哺乳器であって、
前記ホルダーに、該ホルダーの側壁に設けられた爪部に係合して位置決めを行うラチェット式の係止片を有しパックを乳首に向けて押し上げその内容積を縮減させるスライダーを設け、
該スライダーは、ホルダーの内側に配置されパックをその底部から押圧する中皿と、ホルダーの外側に配置されるリングと、該中皿に弾性支持されホルダーの内側壁に設けられた爪部に係合する少なくとも１つの係止片と、ホルダーの側壁に設けられた窓孔を通して中皿にて押圧可能に保持され、該係止片を押圧、変位させてホルダーの爪部との係合を解除する押しボタンにて構成する。
【００１０】
【発明の実施の形態】
以下、図面を用いて本発明をより具体的に説明する。
【００１１】
図１は本発明に従う哺乳器の実施の形態をその外観で示したものであり、図２はその断面を示したものである。
【００１２】
図１、図２において１はミルクや果汁等の内容物を充填しそれを押し潰すことで内容積の縮減を可能とする薄肉のパック（図２参照）、２はこのパック１内の内容物を排出する乳首（図２参照）である。
【００１３】
また、３はパック１を内挿する空間領域を有するホルダーである。このホルダー３はその対向側壁にそれぞれ哺乳器の長手方向に沿って開口する窓孔３ａを有し、その窓孔３ａに隣接して鋸刃状の爪部３ｂが設けられている。
【００１４】
４はパック１を乳首２とともにホルダー３に固定保持するベースキャップ、５はベースキャップ４に着脱自在に保持され乳首２を覆い隠すカバーキャップ、そして６はパック１を乳首２に向けて押し上げその内容積を縮減させるスライダーである。
【００１５】
スライダー６は、ホルダー３の内に配置されパックをその底部から押圧する中皿６ａ（図２参照）と、ホルダー３の外側に配置されるリング６ｂと、リング６ｂに弾性支持されホルダー３の爪部３ｂに係合する一対の係止片（板ばね）６ｃと、ホルダー３の窓孔３ａを通して中皿６ａにて押圧可能に保持され係止片６ｃを押圧、変位させてホルダー３の爪部３ｂとの係合を解除する押しボタン６ｄからなる。
【００１６】
図３にスライダー６の要部を断面で示し、図４に中皿６ａと押しボタン６ｄの外観を、図５にリング６ｂの外観斜視図をそれぞれ示す。
【００１７】
パック１に内容物を入れて乳首２を装着した上掲図１に示すような状態においては、その上部空間には空気が存在するため、このまま授乳すると、内容物とともに気泡が飲み込まれるため、げっぷや吐き出しを避けることはできない。
【００１８】
このため、まず、内容物をパック１に充填したならばスライダー６を乳首２に向けて移動させて図６に示す如く中皿６ａの天面にてパック１を押し潰しパック１の上部空間に存在する空気を乳首２を通して排出する。この状態で授乳を開始すれば気泡を飲み込むことはないのでげっぷや吐き出しを起こすことはない。
【００１９】
スライダー６は、その停止位置にて係止片６ｃがホルダー３の側壁に設けられた爪部３ｂに係合して位置決めがなされるラチェット形式になるのでパック１内の空気を排出した後において、例えば授乳をせずに保管しておくような必要性が生じた場合においても中皿６ａは常にパック１を押し潰した状態にあり、再びパック１内の空気を排出する操作はいらない。
【００２０】
授乳を一たん中止する時は、ミルクを消費した分だけスライダー６を乳首２に向けて移動させておけばよく、哺乳器を引き起こしてもパック１内に空気が侵入することはく授乳をすぐさま再開できる。
【００２１】
スライダー６の押しボタン６ｄを押圧すると、係止片６ｃは図７に示したように変位してホルダー３の爪部３ｂとの係合が解除される。
【００２２】
図８（ａ）（ｂ）は本発明に従う哺乳器の他の形態を示した図である。スライダー６の中皿６ａと押しボタン６ｄは、図９に図８（ｂ）のＸ−Ｘ断面を示す如くその上端部分に帯６ｅを設けて一体化を図るようにすることもできる。
【００２３】
図１０（ａ）（ｂ）は本発明に従う哺乳器の他の形態を示したものである。
この例は、ホルダー３の内壁面に爪部３ｂを設け、中皿６ａに係止片６ｃを設けた構造のものであり、この場合、ホルダー３の外表面における装飾面積の拡大を図ることが可能であり哺乳器の外観をすっきりとすることができる。この構造のものも、押しボタン６ｄを押すことで係止片６ｃを変位させて爪部３ｂとの係合を解除する。
【００２４】
中皿６ａとリング６ｂは別体ものとして例示したが、簡単に組み込むことができるものであれば一体ものであってもかまわない。
【００２５】
ホルダー３を透明体にて成形してその長手方向に内容量を表示する目盛を付し、この目盛とスライダー６の位置とパック１の容量をリンクさせておくことで内容物の計量を簡単に行うことができる。
【００２６】
パック１は本実施例においては肉厚が０．１mm程度になるポリエチレンのブロー成形品を用いているが、本発明はこれにのみ限定されるものではなく、例えば蛇腹形状のものやパウチ等、容積を減容させることができるものの適用が可能である。容器の形態（単層あるいは積層構造等）や厚さ等にはとくに制限はない。また、その成形方法はブロー成形の他、シート成形等の既知の成形方法を採用することができる。パック１の材質はポリエチレンにのみ限定されることはない。
【００２７】
また、乳首を除くその他の構成部材については、ポリプロピレン等の合成樹脂を射出成形したものを適用できるが材質や成形法は限定されない。
【００２８】
【発明の効果】
本発明によれば、哺乳器内に存在する空気を簡単な操作でもって排出することができるので、授乳後において従来避けられなかったげっぷや吐き出しを防止できる。
【００２９】
また、本発明によれば、スライダーをホルダーの任意の位置で停止させておくことができるので、パック内への空気の侵入が防止できるだけでなく、スライダーをホルダーに付した容量目盛と対応させておくことで内容物を充填する際の計量や飲んだ量を簡単に把握できる。
【図面の簡単な説明】
【図１】  本発明に従う哺乳器の構成説明図である。
【図２】  図１に示した哺乳器の断面を示した図である。
【図３】  図１に示した哺乳器のスライダーの要部を断面で示した図である。
【図４】  図１に示した哺乳器の中皿と押しボタンの外観斜視図である。
【図５】  図１に示した哺乳器のリングの外観斜視図である。
【図６】  図１に示した哺乳器の使用状態を示した図である。
【図７】  図１に示した哺乳器のスライダーの要部の断面を示した図である。
【図８】  （ａ）（ｂ）は本発明に従う哺乳器の他の実施の形態を示した図である。
【図９】  図８（ｂ）のＸ−Ｘ断面を示した図である。
【図１０】  （ａ）（ｂ）は本発明に従う哺乳器の他の実施の形態を示した図である。
【符号の説明】
１  パック
２  乳首
３  ホルダー
３ａ  窓孔
３ｂ  爪部
４  ベースキャップ
５  カバーキャップ
６  スライダー
６ａ  中皿
６ｂ  リング
６ｃ  係止片
６ｄ  押しボタン
【図１】
0004198384.tif 000002
【図２】
0004198384.tif 000003
【図３】
0004198384.tif 000004
【図４】
0004198384.tif 000005
【図５】
0004198384.tif 000006
【図６】
0004198384.tif 000007
【図７】
0004198384.tif 000008
【図８】
0004198384.tif 000009
【図９】
0004198384.tif 000010
【図１０】
0004198384.tif 000011